(57)【特許請求の範囲】
【請求項１】
コークス炉の炉蓋本体の小蓋部分の炉内側に固定された均し口金物を洗浄するための洗浄装置であって、前記コークス炉から取り外された前記炉蓋本体の炉内側から前記均し口金物の内側に挿入される洗浄ノズルと、この洗浄ノズルから高圧水を噴射させる高圧水噴射手段と、前記洗浄ノズルから噴射される前記高圧水を前記均し口金物の縁部分に向かわせる噴射方向制御手段と、を備えたことを特徴とするコークス炉の小蓋均し口金物の洗浄装置。
【発明の詳細な説明】
【０００１】
【発明の属する技術分野】
この発明は、コークス炉の炉蓋本体の小蓋部分の炉内側に固定された均し口金物を洗浄するための装置に関し、特に、均し口金物の内側に付着したカーボンやタール等を効率よく除去できるようにしたものである。
【０００２】
【従来の技術】
この種の従来の技術としては、例えば実開平７−９９５５号公報に開示されたものがある。即ち、かかる従来の技術は、コークス炉の小蓋掃除装置に関するものであって、コークス炉の炉蓋本体の脱着用のドアリフタの上方位置に、小蓋開閉機と、その小蓋開閉機により開放された小蓋口及び小蓋裏面の掃除用の高圧水クリーナと、を設けていて、ドアリフタにより後退させられた位置にある炉蓋本体に相対する炉蓋掃除装置に、小蓋内面掃除用の内面掃除機を取り付けた、という構成であった。
【０００３】
その他比較的近いと思われる従来技術としては、特開平６−２７１８６３号公報に開示された装置がある。かかる従来の技術は、コークス炉用小蓋のクリーニング方法及び装置に関するものであって、均し口の小蓋を開け、スクレーパにより均し口内壁の付着物を掻き取り、均し口のシート面が隠れないように防水蓋を均し口の開口部に被せ、ノズルを移動させながら高圧水を均し口のシート面及び小蓋の内側全面に噴射して、それらから付着物を除去する、というものであった。
【０００４】
【発明が解決しようとする課題】
しかしながら、上記公報等に開示される従来の装置は、いずれも炉蓋本体の炉外側から洗浄を行う装置であったため、開放した状態の小蓋の裏面（閉じたときに炉内側を向く面）や均し口の内壁等の付着物を除去することは可能であるが、炉蓋本体にシールプレート等を介して固定された均し口金物の炉内側を向く面に付着したカーボン等を効率よく除去することができなかった。
【０００５】
即ち、コークス炉の炉蓋本体の小蓋部分の炉内側を向く面には、図５に示すように、シールプレート１を介して均し口金物２が固定されていて、均し口金物２は、一般的には、シールプレート１に複数のボルト３によって固定される中央が開口した枠体２ａと、その枠体２ａの両側部及び下部から炉内方向に延びるカバー２ｂと、から構成されている。そして、その均し口金物２はコークス炉内の雰囲気に晒されるため、これにカーボンやタール等が付着するのであるが、特に枠体２ａにボルト３を核としてカーボン等が成長し、それを放置しておくとレベラーの挿入が不可能になる可能性があったのである。しかし、そのようなボルト３を核として成長してしまった付着物は、炉外側からは効率よく除去することができなかったのである。
【０００６】
本発明は、このような従来の技術が有する未解決の課題に着目してなされたものであって、上記のような均し口金物の枠体の付着物を効率よく除去できるコークス炉の小蓋均し口金物の洗浄装置を提供することを目的としている。
【０００７】
【課題を解決するための手段】
上記目的を達成するために、コークス炉の炉蓋本体の小蓋部分の炉内側に固定された均し口金物を洗浄するための洗浄装置に係る本発明は、前記コークス炉から取り外された前記炉蓋本体の炉内側から前記均し口金物の内側に挿入される洗浄ノズルと、この洗浄ノズルから高圧水を噴射させる高圧水噴射手段と、前記洗浄ノズルから噴射される前記高圧水を前記均し口金物の縁部分に向かわせる噴射方向制御手段と、を備えた。
【０００８】
【発明の実施の形態】
以下、本発明の実施の形態を図面に基づいて説明する。
図１乃至図４は本発明の一実施の形態を示す図であって、図１は本発明に係る洗浄装置１０の使用状態を示す側面図、図２は洗浄装置１０の正面図、図３は洗浄装置１０の平面図である。
【０００９】
即ち、洗浄装置１０は、横行用シリンダ１１によって左右方向（図１に直交する方向、図２、図３の左右方向）に変位可能な架台１２を有していて、横行用シリンダ１１は、図示しない支持装置を介して基礎２０側に固定されるようになっている。
【００１０】
架台１２には、昇降用シリンダ１３を介して上下方向（図１の上下方向）に変位可能に進退用シリンダ１４が支持されており、さらに、その進退用シリンダ１４のロッド１４ａの先端には、回転用油圧モータ１５を介して、噴射口１６ａを二つ備えた洗浄ノズル１６が取り付けられている。回転用油圧モータ１５は、洗浄ノズル１６をロッド１４ａと同軸回りに回転させて、二つの噴射口１６ａを旋回させるためのものである。
【００１１】
そして、洗浄ノズル１６は、フレキシブルな耐圧チューブ１７を介して、基礎２０上に固定された高圧水ポンプ１８の高圧水吐出側に接続されている。
一方、炉蓋本体５の炉内側（図１右側）を向く面には、シールプレート１を介して耐火物６が固定されるとともに、炉蓋本体５の炉外側（図１左側）を向く面の上側部分には小蓋７が設けられていて、その小蓋７を開いたときに炉内側と通じるように炉蓋本体５にはシールプレート１を介して均し口金物２が固定されている。均し口金物２自体の構成は、図５に示した従来と同様であるが、図１ではそのカバー２ｂの一部を省略している。
【００１２】
そして、炉蓋本体５は、その全体を洗浄する際には、公知のリフター８（例えば、特開平７−１２６６２９号公報参照）により、コークス炉（図示せず）から取り外され炉蓋本体用洗浄装置（図示せず）の設置位置に移動させられるのであるが、その際に、洗浄装置１０を利用して均し口金物１０の内側の洗浄も行ってしまうのである。
【００１３】
洗浄装置１０による洗浄の手順を説明すると、先ず、横行用シリンダ１１を駆動させて架台１２の左右方向位置を調整するとともに、昇降用シリンダ１３を駆動させて進退用シリンダ１４の高さ方向位置を調整して、ロッド１４ａの先端に備えられた洗浄ノズル１６を、均し口金物２に対向させる。洗浄ノズル１６が均し口金物２と対向したら、進退用シリンダ１４を駆動させて、洗浄ノズル１６を均し口金物２の内側に挿入させる。このとき、洗浄ノズル１６は、ボルト３の頭部厚さ分よりも若干大きく離れた位置にまで近づける。
【００１４】
そして、横行用シリンダ１１及び昇降用シリンダ１３を再び駆動させて、洗浄ノズル１６を均し口金物２の枠体２ａの左下側の角部に近接した位置にまで移動させる。この枠体２ａの左下側の角部に近接した位置が、洗浄ノズル１６による洗浄の開始位置であって、その後は、図４に矢印に示すように、枠体２ａの縁部分に沿って洗浄ノズル１６が所定の速度で移動するように、横行用シリンダ１１及び昇降用シリンダ１３を駆動させる。
【００１５】
但し、洗浄ノズル１６を枠体２ａの縁部分に沿って移動させる際には、回転用油圧モータ１５によって洗浄ノズル１６自体をその移動速度に比べて速い速度で旋回させつつ、高圧水ポンプ１８から高圧水を洗浄ノズル１６に供給してその旋回する噴射口１６ａから高圧水を噴射させる。
【００１６】
すると、噴射口１６ａから噴射される高圧水は、円弧を描きながら図４矢印に示すように移動するから、ボルト３を核として成長していたカーボン等の付着物４は、その高圧水によって掻きほぐされ、均し口金物２から取り除かれる。
【００１７】
付着物４が取り除かれたことが確認されたら、回転用油圧モータ１５及び高圧水ポンプ１８を停止すると共に、進退用シリンダ１４を駆動させて洗浄ノズル１６を均し口金物２から離脱させる。
【００１８】
このように本実施の形態の構成であれば、横行用シリンダ１１、昇降用シリンダ１２、進退用シリンダ１４、回転用油圧モータ１５及び高圧水ポンプ１８を適宜遠隔操作することにより、均し口金物２の炉内側を向く面に付着していたカーボン等の付着物４を除去することができる。よって、人手により付着物４を除去する作業が不要になり、それだけ効率よく除去作業が行える。また、各シリンダやモータをコンピュータにより制御できるように構成するとともに、洗浄ノズル１６と均し口金物２との間の位置関係を検出するためのセンサをその洗浄ノズル１６に設け、そのセンサの出力をコンピュータに供給し、所定のプログラムに従って各シリンダ等を駆動させるようにすれば、付着物４の除去作業を自動化することも可能である。
【００１９】
そして、本実施の形態であれば、洗浄ノズル１６の移動軌跡を、図４に示したように枠体２ａの縁部分に沿った軌跡としているため、小蓋７の外側からは除去が困難だった付着物４を略確実に除去することができるから、レベラーの挿入が不可能になるような不具合を防止することができる。
【００２０】
ここで、本実施の形態にあっては、高圧水ポンプ１８及び耐圧ホース１７によって高圧水噴射手段が構成され、横行用シリンダ１１、昇降用シリンダ１３及び進退用シリンダ１４によって噴射方向制御手段が構成される。
【００２１】
なお、上記実施の形態では、洗浄ノズル１６を適宜移動させることにより、それから噴射される高圧水を枠体２ａの縁部分に向かわせるようにしているが、これに限定されるものではなく、例えば、洗浄ノズル１６の噴射口１６ａの形状を高圧水が放射状に噴射される形状とし、洗浄ノズル１６を均し口金物２の中央部に位置させてその状態で高圧水を放射状に噴射させて枠体２ａの縁部分に向かわせるようにしてもよい。
【００２２】
【発明の効果】
以上説明したように、本発明によれば、コークス炉から取り外された炉蓋本体の炉内側から均し口金物の内側に挿入される洗浄ノズルと、この洗浄ノズルから高圧水を噴射させる高圧水噴射手段と、洗浄ノズルから噴射される高圧水を均し口金物の縁部分に向かわせる噴射方向制御手段とを備えたため、均し口金物の炉内側を向く面に付着した付着物を効率よく除去できるという効果がある。
【図面の簡単な説明】
【図１】本発明の一実施の形態の洗浄装置の側面図である。
【図２】洗浄装置の正面図である。
【図３】洗浄装置の平面図である。
【図４】洗浄ノズルの移動軌跡の説明図である。
【図５】均し口金物へのカーボン等の付着位置を説明する斜視図である。
【符号の説明】
２        均し口金物
２ａ      枠体
４        付着物
５        炉蓋本体
７        小蓋
１０      洗浄装置
１１      横行用シリンダ
１２      架台
１３      昇降用シリンダ
１４      進退用シリンダ
１５      回転用油圧モータ
１６      洗浄ノズル
１７      耐圧ホース
１８      高圧水ポンプ
２０      基礎
【図１】
0003769926.tif 000002
【図２】
0003769926.tif 000003
【図３】
0003769926.tif 000004
【図４】
0003769926.tif 000005
【図５】
0003769926.tif 000006